【手続補正書】
【提出日】平成25年7月2日(2013.7.2)
【手続補正１】
【補正対象書類名】特許請求の範囲
【補正対象項目名】全文
【補正方法】変更
【補正の内容】
【特許請求の範囲】
【請求項１】
出力手段にて画面表示する各オブジェクトについて、表示用データと、表示の契機、表示方向、および表示位置の設定情報とを格納した記憶手段と、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、各オブジェクトの表示位置において該当表示方向に向けた各オブジェクトの表示を行う処理とを実行する演算手段と、
を備えることを特徴とする情報提示システム。
【請求項２】
出力手段の姿勢を検知する姿勢検知手段を備えており、
前記演算手段は、
前記姿勢検知手段から出力手段の姿勢情報を取得し、出力手段の姿勢変化に応じて前記オブジェクトの表示方向を所定角度回転させる処理を実行する、
ことを特徴とする請求項１に記載の情報提示システム。
【請求項３】
前記記憶手段は、出力手段にて画面表示する各オブジェクトについて、提示対象者の属性情報を更に格納しており、
前記演算手段は、
前記特定したオブジェクトの表示方向が該当オブジェクト間で異なった場合、ないし、前記特定したオブジェクトに関する提示対象者の属性情報が複数種類あった場合、前記出力手段の姿勢変化によらず前記オブジェクトの表示方向を維持する、
ことを特徴とする請求項２に記載の情報提示システム。
【請求項４】
前記記憶手段は、出力手段にて画面表示する各オブジェクトについて、提示対象者の属性情報を更に格納しており、
前記演算手段は、
前記特定したオブジェクトの表示方向が該当オブジェクト間で同一であった場合、ないし、前記特定したオブジェクトに関する提示対象者の属性情報が１種類であった場合に、前記出力手段の姿勢変化に応じて前記オブジェクトの表示方向を所定角度回転させる、
ことを特徴とする請求項２または３に記載の情報提示システム。
【請求項５】
前記演算手段は、
前記特定した各オブジェクトの表示用データを記憶手段より読み出し、出力手段の画面中で、各オブジェクトの表示位置において該当表示方向に向けた各オブジェクトの表示を行い、該表示したオブジェクトないし前記画面中の所定領域に対する入力手段を介したユーザの指示を検知した場合、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、各オブジェクトの表示位置において該当表示方向に向けた各オブジェクトの表示を行う処理とを実行する、
ことを特徴とする請求項１〜４のいずれかに記載の情報提示システム。
【請求項６】
前記演算手段は、
前記特定した各オブジェクトの表示用データを記憶手段より読み出し、出力手段の画面中で、各オブジェクトの表示位置において該当表示方向に向けた各オブジェクトの表示を行い、該表示しているオブジェクトの所定箇所に対する、入力手段を介したユーザの表示属性変化の指示を検知した場合、前記指示の対象であり、画面中で表示中の各オブジェクトの所定箇所に関し、その表示属性を各オブジェクトを跨って同様に変化させる、
ことを特徴とする請求項１〜５のいずれかに記載の情報提示システム。
【請求項７】
出力手段にて画面表示する各オブジェクトについて、表示用データと、表示の契機、表示方向、および表示位置の設定情報とを格納した記憶手段と、演算手段とを備えた情報処理装置が、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の１画面中で、各オブジェクトの表示位置において該当表示方向に向けた各オブジェクトの表示を行う処理と、
を実行することを特徴とする情報提示方法。
【請求項８】
出力手段にて画面表示する各オブジェクトについて、表示用データと、表示の契機、表示方向、および表示位置の設定情報とを格納した記憶手段と、演算手段とを備えた情報処理装置に、
所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、
前記特定した各オブジェクトの表示用データを記憶手段より読み出し、出力手段の画面中で、各オブジェクトの表示位置において該当表示方向に向けた各オブジェクトの表示を行う処理と、
を実行させることを特徴とする情報提示プログラム。
【手続補正２】
【補正対象書類名】明細書
【補正対象項目名】０００９
【補正方法】変更
【補正の内容】
【０００９】
より詳細には、上記課題を解決する本発明の情報提示システムは、出力手段にて画面表示する各オブジェクトについて、表示用データと、表示の契機、表示方向、および表示位置の設定情報とを格納した記憶手段と、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の画面中で、各オブジェクトの表示位置において該当表示方向に向けた各オブジェクトの表示を行う処理とを実行する演算手段と、を備えることを特徴とする。この際、表示する画面は１画面中に各々オブジェクトを表示することがより好適である。
【手続補正３】
【補正対象書類名】明細書
【補正対象項目名】００１０
【補正方法】変更
【補正の内容】
【００１０】
また、本発明の情報提示方法は、出力手段にて画面表示する各オブジェクトについて、表示用データと、表示の契機、表示方向、および表示位置の設定情報とを格納した記憶手段と、演算手段とを備えた情報処理装置が、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の１画面中で、各オブジェクトの表示位置において該当表示方向に向けた各オブジェクトの表示を行う処理と、を実行することを特徴とする。
【手続補正４】
【補正対象書類名】明細書
【補正対象項目名】００１１
【補正方法】変更
【補正の内容】
【００１１】
また、本発明の情報提示プログラムは、出力手段にて画面表示する各オブジェクトについて、表示用データと、表示の契機、表示方向、および表示位置の設定情報とを格納した記憶手段と、演算手段とを備えた情報処理装置に、所定プログラムの実行ないし入力手段で受けたユーザの指示を検知し、該検知の内容を、記憶手段における前記設定情報に照合して、前記検知の内容が表示契機に合致するオブジェクト、該合致するオブジェクトの表示方向および表示位置を特定する処理と、前記特定した各オブジェクトの表示用データを記憶手段より読み出し、出力手段の画面中で、各オブジェクトの表示位置において該当表示方向に向けた各オブジェクトの表示を行う処理と、を実行させることを特徴とする。